(57)【特許請求の範囲】
【請求項１】
汚砂が投入される受入ホッパと、下部に汚砂汚水排出用シュートをその上部に洗浄し渣排出用シュートをそれぞれ設け、所要の傾斜角で配設したケーシングと、このケーシング内底面下部より上部に亘って円弧形に形成したスクリーンと、この円弧形スクリーン内に嵌合し回動自在に配設したスクリューと、ケーシング下部の上面に開口して形成した汚砂投入口と、このケーシング内天部にスクリューにて搬送される汚砂中に含まれるし渣を洗浄するように配設した洗浄ノズルとより構成した汚砂処理装置において、前記汚砂汚水排出用シュートを、スクリーンに対向してスクリーンを配設したケーシングの下部より上部に亘って配設したことを特徴とする汚砂処理装置。
【請求項２】
所要の傾斜角で配設したケーシングの内底面に形成する円弧形のスクリーンは複数を並列的に配設し、かつスクリーンは所要の目幅を備えてケーシングの長手方向に沿って形成し、この各スクリーン内に同方向に回動するし渣搬送用のスクリューを設けたことを特徴とする請求項１記載の汚砂処理装置。
【請求項３】
ケーシング内天部に配設され、スクリューにてスクリーン内を搬送される汚砂し渣を洗浄する洗浄ノズルは、ケーシングに設けた投入口よりも上方位置としたことを特徴とする請求項１又は２記載の汚砂処理装置。
【発明の詳細な説明】
【０００１】
【発明の属する技術分野】
本発明は、汚砂処理装置、特に装置内に投入された粗大物やごみ（本明細書において「し渣」という。）に洗浄水をかけつつスクリューの回動にて洗浄分別搬送して汚水と洗浄し渣とを分別して取り出すようにした汚砂処理装置に関するものである。
【０００２】
【従来の技術】
従来、下水処理場等においては、揚砂機にて掻き上げた汚砂中のし渣には汚泥、汚物が混入している。このためこの掻き揚げ汚砂を直接埋め立て地等に投棄できず、この汚砂を洗浄機にて洗浄した後、処理している。
【０００３】
【発明が解決しようとする課題】
上記従来の汚砂処理装置には、洗浄機と分別機とを要するものとなり、設備費が嵩むと共に、洗浄機と分別機の設置場所を要し、小規模処理場、中継ポンプ場では設置不可能であるという問題点があった。
このため、複数の処理場又は中継ポンプ場で除去した汚砂及び管路浚渫汚砂をトラックで１カ所に集めて処理する場合が多い。本発明は、上記従来の汚砂処理装置の有する問題点を解決し、１台で汚砂の洗浄と分別とを同時に行うことができる汚砂処理装置を提供することを目的とする。
【０００４】
【課題を解決するための手段】
上記目的を達成するため、本発明の汚砂処理装置は、汚砂が投入される受入ホッパと、受入ホッパ下部に、下部に汚砂汚水排出用シュートをその上部に洗浄し渣排出用シュートをそれぞれ設け、所要の傾斜角で配設したケーシングと、このケーシング内底面下部より上部に亘って円弧形に形成したスクリーンと、この円弧形スクリーン内に嵌合し回動自在に配設したスクリューと、ケーシング下部の上面に開口して形成した汚砂投入口と、このケーシング内天部にスクリューにて搬送される汚砂中に含まれるし渣を洗浄するように配設した洗浄ノズルとより構成した汚砂処理装置において、前記汚砂汚水排出用シュートを、スクリーンに対向してスクリーンを配設したケーシングの下部より上部に亘って配設したことを特徴とする。
【０００５】
上記の構成からなる本発明の汚砂処理装置は、受入ホッパに汚砂を投入すると受入ホッパ下部の傾斜したケーシング内に落下し、円弧形のスクリーン上にて支持されつつスクリューの回動にてスクリーンの下部より上方向へ搬送される。この時ケーシング内天面から洗浄用ノズルから洗浄水が噴射されているので、スクリューにて攪拌されつつ洗浄水にて同時に洗浄され、洗浄後の汚水はスクリーンにて分離され下部の汚水汚砂排出用シュートより排出されると共に、洗浄されて上方へ搬送された洗浄後のし渣は洗浄し渣排出用シュートより外部へ分離排出されるものである。
【０００６】
この場合において、所要の傾斜角で配設したケーシングの内底面に形成する円弧形のスクリーンは複数を並列的に配設し、かつスクリーンは所要の目幅を備えてケーシングの長手方向に沿って形成し、この各スクリーン内に同方向に回動するし渣搬送用のスクリューを設けることができる。
【０００７】
上記の構成からなる本発明の汚砂処理装置は、スクリューの下面と接するケーシング内底面を円弧形のスクリーンとしているので、このスクリーン上をし渣が搬送されるとき、スクリュー上方から噴射される洗浄水もこのスクリーン目より自然に下方へ排水でき、し渣洗浄後汚砂及び汚水と洗浄されたし渣とが分別できる。
【０００８】
また、ケーシング内天部に配設され、スクリューにてスクリーン内を搬送されるし渣を洗浄する洗浄ノズルは、ケーシングに設けたし渣投入口よりも上方位置とすることができる。
【０００９】
上記の構成からなる本発明の汚砂処理装置は、攪拌されつつ搬送される途中で汚砂の上方から洗浄水を噴射しているので、洗浄が汚砂及び分離したし渣全体に亘って均一に、より確実に行えるものとなる。
【００１０】
【発明の実施の形態】
以下、本発明の汚砂処理装置の実施の形態を図面に基づいて説明する。
図において１は架台で、この架台１に予め定めた傾斜角度を有して汚砂洗浄分別を行うケーシング２を支持すると共に、このケーシングの内底面はほぼその全長に亘ってスクリーン３とする。
【００１１】
このケーシング２内にはその傾斜方向に沿ってしかも複数本の円弧形状をしたスクリーン３を所定間隔を開けて配設すると共に、この各円弧形状のスクリーンにスクリュー４を配置する。これは円弧形即ち樋形をしたスクリーン内にその一部が嵌合するようにスクリューを配置する。この各スクリュー３はケーシングの上下端部に設けた軸受５、５にて回動自在に支持すると共に、スクリュー軸の端部には動力伝達機構６、例えばスプロケットホイール、ギアなどを取り付け、ケーシング側部に配置した減速機付モータ７にて駆動する。
【００１２】
また、ケーシング底部にはその下方位置に汚水汚砂排出用シュート８、上部位置には洗浄し渣排出用シュート９をそれぞれ配設する。この汚水汚砂排出用シュート８は前記スクリーンのほぼ全長に亘ってスクリーン下部を受けるようにしてスクリーンを通過し落下する汚砂洗浄水等を受け、集水してシュートより排水するようにする。
【００１３】
洗浄し渣排出用シュート９はスクリーン上をスクリューの回動にて搬送される途中で洗浄水と汚砂を分離したし渣をスクリーン上端より排出されるようにして配置されるようにケーシング上部底面に設ける。
【００１４】
なお、図示の実施例では１つのケーシング内に３本のスクリューを並列的に配置したが、この並列数は限定されることはない。そしてこの各スクリューは図示のように原動機付モータより動力伝達機構を経て回動される。
【００１５】
ケーシング下部の上面には下水処理場等より回収した汚砂を投入するための汚砂投入口１２を形成し、かつこの汚砂投入口より上方は受入ホッパを設けケーシング内天面部には洗浄用ノズル１０を配設し、このノズルより洗浄水をスクリューに向かって噴射してスクリーンに沿ってかつスクリューの回動にて下方向から上方向へ搬送される汚砂及びし渣を洗浄する。洗浄後の汚砂はスクリーンの目より下方の汚水汚砂シュート内に落水して外部へ排水される。そして洗浄されたし渣はそのままさらにスクリューにて搬送されスクリーン上端部よりし渣排出用のシュートより外部へ排出される。
【００１６】
なお、上記実施例では並列する複数のスクリューはすべて同じ方向に回動されているが、この各スクリューの回動方向は異なるようにすることも可能である。
【００１７】
【発明の効果】
本発明の汚砂処理装置によれば、受入ホッパに汚砂を投入するだけで、汚砂は円弧形のスクリーン上にて回動するスクリューにて攪拌されつつ搬送され、かつ上部からの洗浄水の噴射にて同時に洗浄され、洗浄後の汚砂と汚砂中のし渣は分別されて外部へ分離排出できる利点がある。
【００１８】
また、本発明の請求項２に記載した汚砂処理装置によれば、所要の傾斜角で配設したケーシングの内底面に形成する円弧形のスクリーンの複数を並列的に配設し、かつスクリーンは所要の目幅を備えてケーシングの長手方向に沿って形成し、この各スクリーン内に回動するスクリューを設けて汚砂を搬送しているので、このスクリーン上を汚砂が搬送されるとき、スクリュー上方から噴射される洗浄水もこのスクリーン目より自然に下方へ排水でき、し渣洗浄後の汚水及び汚砂と洗浄されたし渣とが洗浄と同時に分別できる。
【００１９】
また、本発明の請求項３に記載した汚砂処理装置によれば、ケーシング内天部で、し渣投入口よりも上方位置に洗浄ノズルを設け、スクリューにてスクリーン内を攪拌されつつ搬送される途中で汚砂は上方から洗浄水にて洗浄されるため、洗浄が汚砂及び汚砂中のし渣全体に亘って均一に、より確実に行える。
【図面の簡単な説明】
【図１】本発明の汚砂処理装置の第１実施例を示す縦断面図である。
【図２】同正面図である。
【図３】同平面図である。
【図４】他の実施例を示し、小形機を搬送ラインに設けて、汚砂中の粗大物ごみの洗浄分離を行う図である。
【符号の説明】
１    架台
２    ケーシング
３    スクリーン
４    スクリュー
５    軸受
６    動力伝達装置
７    減速機付モータ
８    汚水排出用シュート
９    洗浄し渣排出用シュート
１０  洗浄用ノズル
【図１】
0003634481.tif 000002
【図２】
0003634481.tif 000003
【図３】
0003634481.tif 000004
【図４】
0003634481.tif 000005